(57)【特許請求の範囲】
【請求項１】
部分的に厚さの異なる媒体を収納部に収納し、この媒体を移動可能なステージでピックアップローラーに当接させて、このピックアップローラーの回転により前記媒体を収納部から繰り出す媒体繰り出し機構において、
先端が前記ピックアップローラー側に突出した状態で前記ステージに固定された押圧部材を設け、
前記押圧部材が媒体の厚さの薄い部分を押圧すると共に、前記ステージが媒体の厚さの厚い部分を押圧することを特徴とする媒体繰り出し機構。
【請求項２】
部分的に厚さの異なる媒体を収納部に収納し、この媒体を移動可能なステージでピックアップローラーに当接させて、このピックアップローラーの回転により前記媒体を収納部から繰り出す媒体繰り出し機構において、
前記ステージに回動可能な複数の押圧部材を設け、各押圧部材の先端を前記媒体側に突出させることにより媒体の厚さの薄い部分を複数個所押圧して前記ピックアップローラーに当接させることを特徴とする媒体繰り出し機構。
【請求項３】
請求項２において、
押圧部材の先端にローラーを取り付け、このローラーを介して押圧部材が媒体を押圧することを特徴とする媒体繰り出し機構。
【請求項４】
部分的に厚さの異なる媒体を収納部に収納し、この媒体を移動可能なステージでピックアップローラーに当接させて、このピックアップローラーの回転により前記媒体を収納部から繰り出す媒体繰り出し機構において、
前記ステージに回動可能な押圧部材を設けて、この押圧部材の先端にローラーを取り付け、押圧部材を前記媒体側に突出させることにより前記ローラーを介して媒体の厚さの薄い部分を押圧して前記ピックアップローラーに当接させることを特徴とする媒体繰り出し機構。
【請求項５】
部分的に厚さの異なる媒体を収納部に収納し、この媒体を移動可能なステージでピックアップローラーに当接させて、このピックアップローラーの回転により前記媒体を収納部から繰り出す媒体繰り出し機構において、
前記ステージにより押圧される媒体の厚さの厚い部分に該当する位置と前記ステージにより押圧される媒体の厚さの薄い部分に該当する位置にそれぞれピックアップローラーを設けると共に、両ピックアップローラーを媒体繰り出し方向に並ぶように配置したことを特徴とする媒体繰り出し機構。
【発明の詳細な説明】
【０００１】
【発明の属する技術分野】
本発明は、収納部に収納された紙等の媒体を１枚づつ繰り出す媒体繰り出し機構に関するもので、特に収納部の媒体をピックアップローラーに押しつけ、該ピックアップローラーの回転により媒体を繰り出す媒体繰り出し機構に関するものである。
【０００２】
【従来の技術】
顧客の希望に応じて航空機の搭乗券、列車の座席指定券、あるいは各種の予約券等を発行処理する媒体処理装置、更には特定の予約券等と金券との交換処理を行う媒体処理装置が各種の分野で用いられている。
このような媒体処理装置には券となるべき媒体をまとめて収納部に収納し、発行処理時に媒体を１枚づつ分離して繰り出す媒体繰り出し機構が設けられている。
【０００３】
図８は従来の媒体繰り出し機構の一例を示す概略側面図、図９は一般的な媒体を示す斜視図である。
図において１は一定の紙厚ｔを有する定型の媒体、２はこの媒体１を一定枚数収納した収納部で、この収納部２は一側が開放され、その開放部から媒体１を収納するものとなっている。
【０００４】
３は収納部２の媒体繰り出し側に設けられたピックアップローラーで、このピックアップローラー３はスプリング等の付勢手段４により収納部２内の媒体１側に付勢されている。
５はピックアップローラー３による媒体１の繰り出し方向の下流側に配置されたフィードローラー、６はこのフィードローラー５に当接させた分離ローラーであり、この分離ローラー６はフィードローラー５による媒体１の送り方向と逆の方向に送るように回転するものとなっている。
【０００５】
７は収納部２内に配置されたステージで、ピックアップローラー３に対して接近，離反する方向に移動できるように図示しないガイド部材によりガイドされており、かつ図示しないコイルスプリング等の付勢手段によりピックアップローラー３側に付勢されている。
尚、ピックアップローラー３とフィードローラー５は図示しないモーター等により駆動されて回転し、また分離ローラー６は別の図示しないモーター等により駆動されて回転するものとなっている。
【０００６】
次に、作用について説明する。
まず、オペレータが媒体１を収納部２に収納するには、ステージ７を図示しない付勢手段に抗してピックアップローラー３から離れる方向に移動させ、束ねた媒体を収納部２の一側から差し入れる。
この収納部２は前述のように一側が開放されている構造のため、オペレータは扉の開閉等の動作をすることなく容易に媒体１をセットすることできる。
【０００７】
その後、ステージ７を解放すると、付勢手段の付勢力によりステージ７は媒体１に当接し、媒体１を押してピックアップローラー３に当接させる。
これにより媒体１の収納とセットが完了する。
券発行処理時には、ピックアップローラー３を回転させると、その回転に従ってピックアップローラー３に当接している先頭の媒体１がフィードローラー５側に繰り出され、フィードローラー５と分離ローラー６間に送り込まれて、このフィードローラー５の回転により媒体１は矢印Ａ方向に搬送される。
【０００８】
このとき、分離ローラー６はフィードローラー５による媒体１の送り方向と逆の方向に送るように回転し、媒体１が重ね送りされたときにフィードローラー５に当接する媒体１以外の媒体１を収納部２側に送り戻す役目をする。
以上のようにして収納部２から媒体１が１枚づつ分離して繰り出される。
ところで、媒体処理装置では上述した通常の媒体１の他に、変則的な形状の媒体が用いられることもある。
【０００９】
図１０は変則的な形状の媒体を示す斜視図で、図１１は図１０の媒体を折り返したときの斜視図である。
図において８は媒体で、この媒体８は定型部８ａと、この定型部８ａより小さい小片部８ｂを有しており、この小片部８ｂを定型部８ａ側に折り返した状態で使用される。
【００１０】
従って、図１１に示したように媒体８は、定型部８ａのみの厚さｔの部分と、定型部８ａと小片部８ｂとが重なりあった厚さ２ｔの部分を有するものとなり、縦横方向に部分的に厚さが異なるものとなる。
図１２は図１１の媒体８を一定枚数重ねた状態を示す斜視図で、この場合、定型部８ａのみの厚さｔの部分の合計はＴとなり、定型部８ａと小片部８ｂとが重なりあった厚さ２ｔの部分の合計はＴ２となる。
【００１１】
但し、実際には定型部８ａのみの部分は小片部８ｂの厚みに相当する隙間を開けて並ぶもので、図のＴは説明の都合上隙間を省略した形で示している。
図１３は図１２の媒体８を従来の媒体繰り出し機構の収納部２に収納した状態を示す概略側面図で、媒体８の分離繰り出しについては媒体１の場合と同様に行われる。
【００１２】
【発明が解決しようとする課題】
しかしながら上述した従来の技術では、図１０〜図１３に示した部分的に厚さの異なる媒体８の分離繰り出しを行う場合、ピックアップローラー３側にステージ７を移動させても媒体８は図１３に斜線で示したＢの部分つまり媒体８の厚さの厚い部分しか押圧されず、厚さの薄い部分は押圧されないため、媒体８をピックアップローラー３に充分当接することができなくなって、繰り出し不良を生じるという問題があった。
【００１３】
また、媒体８は横方向にも厚さが異なるため、ピックアップローラー３の回転により生じる振動を受けて媒体１が収納部２の開放部側に徐々にはみ出し、繰り出し不能に陥るという問題もあった。
従って、本発明は、部分的に厚さの異なる媒体であっても、良好に繰り出しを行うことが可能な媒体繰り出し機構を実現することを課題としている。
【００１４】
【課題を解決するための手段】
そのため本発明は、部分的に厚さの異なる媒体を収納部に収納し、この媒体を移動可能なステージでピックアップローラーに当接させて、このピックアップローラーの回転により前記媒体を収納部から繰り出す媒体繰り出し機構において、先端が前記ピックアップローラー側に突出した状態で前記ステージに固定された押圧部材を設け、前記押圧部材が媒体の厚さの薄い部分を押圧すると共に、前記ステージが媒体の厚さの厚い部分を押圧することを特徴とする。
【００１５】
【発明の実施の形態】
以下に図面を参照して本発明による媒体繰り出し機構の実施の形態について説明する。
図１は第１の実施の形態を示す概略側面図である。
図において２は収納部、３はピックアップローラー、４は付勢手段、５はフィードローラー、６は分離ローラー、７はステージで、これらは従来のものに相当し、同様に動作するものとなっている。
【００１６】
９はステージ７の背面に設けられたシャフト、１０はこのシャフト９の中央に取り付けられたアーム状の押圧部材である。
この押圧部材１０はシャフト９を中心に回転し、図示しない係止手段により任意の角度に固定できるようになっており、そして、ステージ７にはこの押圧部材１０を媒体８側に突出させるための図示しない切り欠き部が設けられている。
【００１７】
次に、上述した構成の作用について説明する。
まず、押圧部材１０をシャフト９を中心に回転して図示しない係止手段により任意の角度、例えば押圧部材１０の先端がピックアップローラー３と対向する角度に固定する。
この状態でステージ７が図示しない付勢手段によりピックアップローラー３側に移動すると、このステージにより収納部２内の媒体８の厚さの厚い部分Ｂが押圧され、同時に厚さの薄い部分Ｃが押圧部材１０の先端で押圧される。
【００１８】
これにより先端の媒体８がピックアップローラー３に当接するので、ピックアップローラー３が回転すると、その回転に従って媒体８はフィードローラー５側に繰り出され、フィードローラー５と分離ローラー６間に送り込まれて、このフィードローラー５の回転により媒体８は矢印Ａ方向に搬送される。
このとき、分離ローラー６はフィードローラー５による媒体８の送り方向と逆の方向に送るように回転し、媒体８が重ね送りされたときにフィードローラー５に当接する媒体８以外の媒体８を収納部２側に送り戻す役目をする。
【００１９】
このようにして収納部２から媒体８が１枚づつ分離して繰り出される。
以上説明したように第１の実施の形態では、ステージ７の背面に設けたシャフト９の中央に押圧部材１０を取り付け、この押圧部材１０を先端が媒体８側に突出させることで、ステージ７により収納部２内の媒体８の厚さの厚い部分Ｂを押圧すると同時に、厚さの薄い部分Ｃを押圧部材１０の先端で押圧するようにしているため、媒体８をピックアップローラー３に充分当接させることができ、そのため部分的に厚さの異なる媒体８であっても、良好に分離繰り出しを行うことが可能になる。
【００２０】
図２は第２の実施の形態を示す斜視図で、この第２の実施の形態は、ステージ７の背面に設けられたシャフト９にアーム状の２本の押圧部材１０ａ，１０ｂを間隔をあけて取り付け、それぞれ図示しない係止手段により任意の角度に固定できるようにしたもので、ステージ７にはこの押圧部材１０ａ，１０ｂをそれぞれ媒体８側に突出させるための切り欠き部１１ａ，１１ｂを設けている。
【００２１】
尚、この他の構成は第１の実施の形態と同じである。
このような構成を有する第２の実施の形態は、媒体８の分離繰り出しの際、押圧部材１０ａ，１０ｂの先端で収納部２内の媒体８の厚さの薄い部分のａ点とｂ点を押圧することができる。
従って、この第２の実施の形態によれば、媒体８の厚さの薄い部分の２点で押圧できるので、媒体８の厚さに対してより柔軟に対応することができ、より確実な分離繰り出しが可能となる。
【００２２】
図３は第３の実施の形態を示す概略側面図である。
この第３の実施の形態は、上述した第１の実施の形態における押圧部材１０の先端にローラー１２を回転自在に取り付けることにより、このローラー１２を介して押圧部材１０が媒体８を押圧するようにしたものである。
このような構成を有する第３の実施の形態によれば、最終の媒体８を繰り出す際、押圧部材１０の先端に設けたローラー１２が媒体８の繰り出しに伴って回転するため、媒体８に負荷を与えることなく繰り出すことが可能となり、繰り出し性能が向上することになる。
【００２３】
尚、ローラー１２を第２の実施の形態における押圧部材１０ａ，１０ｂの先端に回転自在に取り付ければ、同様の効果が期待できる。
図４は第４の実施の形態を示す概略平面図で、この第４の実施の形態は第１〜第３の実施の形態におけるステージ７の一側に媒体８の一側に沿って曲折した規制板部１３を形成したものである。
【００２４】
この種の媒体繰り出し機構においては、媒体８を収納した収納部２の一側が開放されていると、同軸上に設けられた複数のピックアップローラー３が回転により媒体８を分離して繰り出す際、媒体８が横方向における厚さが部分的に異なることから、ピックアップローラー３の回転により生じる振動で媒体８が矢印Ｄで示したように横方向にはみ出すことがあるが、調査の結果、この媒体８のはみ出しはステージ７側で生じることが多いことが判った。
【００２５】
この第４の実施の形態ではステージ７の一側に媒体８の一側に沿って曲折した規制板部１３を形成しているため、この規制板部１３により媒体８の横方向へのはみ出しを防止することができる。
尚、収納部２の規制板部１３と対向する部分には、媒体８が少なくなったときにこの規制板部１３を逃がす穴等が設けられている。
【００２６】
以上説明した第４の実施の形態によれば、ステージ７の一側に規制板部１３を形成しているため、媒体８の横方向へのはみ出しを防止することができ、はみ出しによる繰り出し不能を未然に防止することができる。
図５は第５の実施の形態を示す概略側面図で、この第５の実施の形態は、ステージ７の押圧部材１０や１０ａ，１０ｂを設ける代わりに、ステージ７により押圧される媒体８の厚さの厚い部分Ｂに該当する位置にピックアップローラー１４を配置し、図示しないギアやベルト等による動力伝達手段により上段のピックアップローラー３と同期を取って回転するようしたもので、ピックアップローラー１４はピックアップローラー３と同様に付勢手段１５により媒体８側に付勢されている。
【００２７】
このような構成による第５の実施の形態は、ステージ７をピックアップローラー３側に移動させると、このステージにより収納部２内の媒体８の厚さの厚い部分Ｂが押圧され、先端の媒体８がピックアップローラー１４に当接する。
この状態でピックアップローラー３及び１４が回転すると、媒体８はピックアップローラー３で繰り出すことができなくても、押圧力が加えられているピックアップローラー１４の回転によりフィードローラー５側に繰り出され、フィードローラー５と分離ローラー６間に送り込まれて、このフィードローラー５の回転により媒体８は矢印Ａ方向に搬送される。
【００２８】
以上説明した第５の実施の形態ではステージ７により押圧される媒体８の厚さの厚い部分Ｂに該当する位置にピックアップローラー１４を追加して配置しているため、媒体８の厚さの薄い部分に該当する位置に配置されているピックアップローラー３で媒体８の繰り出しができなくても、ピックアップローラー１４により確実に媒体８を繰り出すことができるものとなる。
【００２９】
図６は第６の実施の形態を示す概略側面図、図７は図６の平面図である。
この第６の実施の形態は、ステージ７を移動させる部材としてのプレスプレート１７を設け、このプレスプレート１７にボールジョイント１６を設けて、このボールジョイント１６にステージ７を取り付けたもので、プレスプレート１７はコイルスプリング１８によりピックアップローラー３側に移動するように付勢されている。
【００３０】
このような構成によれば、ボールジョイント１６によりステージ７をあらゆる角度に変更できるので、部分的に厚さの異なる媒体８に対してステージ７を最大の面積で接触させることができ、つまり媒体８の厚さの厚い部分と厚さの薄い部分に均等にステージ７を接触させて媒体８を押圧することができ、これにより厚さの薄い部分をもピックアップローラー３に充分当接させて、ピックアップローラー３，フィードローラー５，及び分離ローラー６により媒体８を１枚づつ分離し繰り出すことができる。
【００３１】
以上説明した第６の実施の形態によれば、部分的に厚さの異なる媒体８をピックアップローラー３に充分当接させることができ、媒体８の良好な分離繰り出しを行うことが可能になる他、追加部品はボールジョイント１６を有するプレスプレート１７のみであるため、追加部品を最小限に抑えられるものとなる。
【００３２】
【発明の効果】
以上説明したように、本発明は、部分的に厚さの異なる媒体の厚さの薄い分を押圧する押圧部材をステージに設けるか、あるいはステージにより押圧される媒体の厚さの厚い部分に該当する位置にピックアップローラーを設けるか、更にはステージを移動させる部材にボールジョイントを設け、このボールジョイントに前記ステージを取り付けて、このボールジョイントにより記ステージが媒体の厚さの厚い部分と薄い部分の両方に均等に接触できるようにしているため、収納部に収納された媒体が部分的に厚さの異なる媒体であっても、良好に分離繰り出しを行うことができるという効果が得られる。
【００３３】
また、ステージの一側に規制板部を形成することで媒体の横方向のはみ出しを防止することができ、媒体のはみ出しにより繰り出し不能に陥る事態を未然に防止できるという効果も得られる。
【図面の簡単な説明】
【図１】第１の実施の形態を示す概略側面図。
【図２】第２の実施の形態を示す要部斜視図。
【図３】第３の実施の形態を示す概略側面図。
【図４】第４の実施の形態を示す概略平面図。
【図５】第５の実施の形態を示す概略側面図。
【図６】第６の実施の形態を示す概略側面図。
【図７】図６の平面図。
【図８】従来の媒体繰り出し機構の一例を示す概略側面図。
【図９】一般的な媒体を示す斜視図。
【図１０】変則的な形状の媒体を示す斜視図。
【図１１】図１０の媒体を折り返したときの斜視図。
【図１２】図１１の媒体を一定枚数重ねた状態を示す斜視図。
【図１３】図１２の媒体を収納した従来技術の概略側面図。
【符号の説明】
２  収納部
３  ピックアップローラー
４  付勢手段
５  フィードローラー
６  分離ローラー
７  ステージ
８  媒体
９  シャフト
１０  押圧部材
１０ａ，１０ｂ  押圧部材
１１ａ，１１ｂ  切り欠き部
１２  ローラー
１３  規制板部
１４  ピックアップローラー
１５  付勢手段
１６  ボールジョイント
１７  プレスプレート
１８  コイルスプリング
【図１】
0004189871.tif 000002
【図２】
0004189871.tif 000003
【図３】
0004189871.tif 000004
【図４】
0004189871.tif 000005
【図５】
0004189871.tif 000006
【図６】
0004189871.tif 000007
【図７】
0004189871.tif 000008
【図８】
0004189871.tif 000009
【図９】
0004189871.tif 000010
【図１０】
0004189871.tif 000011
【図１１】
0004189871.tif 000012
【図１２】
0004189871.tif 000013
【図１３】
0004189871.tif 000014